(57)【特許請求の範囲】
【請求項１】
器具本体と、この器具本体に着脱可能に取付けられた絶縁板と、この絶縁板に取付けられかつ電気配線された点灯部品とを備え、前記点灯部品は点灯回路、ランプソケットおよびプルスイッチを有し、前記器具本体の前記絶縁板が取付けられる箇所の周辺寄りに前記プルスイッチの引き輪の先端に引っかけた紐を通す穴を設け、前記穴を塞ぐ箱形の塞ぎ部を前記絶縁板に設け、前記プルスイッチに対向する前記塞ぎ部の側面に前記引き輪を挿通する引き輪用穴を設け、前記塞ぎ部の上面から前記引き輪用穴にかけてスイッチ取付時に前記引き輪を挿通するためのスリットを前記引き輪用穴に連続して形成した照明器具。
【発明の詳細な説明】
【０００１】
【発明の属する技術分野】
この発明は、照明器具に関するものである。
【０００２】
【従来の技術】
点灯状態の切り換えを引き紐やリモコン操作により行う従来の照明器具の構成を、図４から図６に示す。すなわち、この照明器具は、ランプ１００を点灯させる点灯回路１０１、ランプソケット１０２、ランプ１００を支持するランプ支持ばね１０３、グローブ１０４を取付けるための受け金具１０５等を搭載している器具本体１０６と、これらの部品を覆う本体カバー１０７を有し、グローブ１０４は外殻を形成している。
【０００３】
引き紐の構成については、図５に示すように器具本体１０６、絶縁板１０８の穴を貫通してスイッチ１０９の引き輪１１０を天井側より引き出し、引き輪１１０につながれた引き紐１１１を照明器具１０６の外側からスイッチレバー１１２にガイドさせて引き下ろし、これを操作する構成となっている。
【０００４】
またランプソケット１０２およびリモコン受信器１１３をリモコン受信器台１１４を介して器具本体１０６に取付けているため、点灯回路１０１とランプソケット１０２、スイッチ１０９、リモコン受信器１１３等とのリード線１１５の配線が図６に示すようになっている。
【０００５】
【発明が解決しようとする課題】
しかし、この照明器具は、補修や部品交換の際にリード線１１５を外すことによる配線間違いや、各部品を器具本体１０６から外したり、照明器具の取付方式が複雑なものは補修時に天井から器具を外すのに手間がかかっている。
【０００６】
したがって、この発明の目的は、配線間違いを防止し部品交換や補修を容易にすることができる照明器具を提供することである。
【０００７】
【課題を解決するための手段】
請求項１記載の照明器具は、器具本体と、この器具本体に着脱可能に取付けられた絶縁板と、この絶縁板に取付けられかつ電気配線された点灯部品とを備え、前記点灯部品は点灯回路、ランプソケット、およびプルスイッチを有し、前記器具本体の前記絶縁板が取付けられる箇所の周辺寄りに前記プルスイッチの引き輪の先端に引っかけた紐を通す穴を設け、前記穴を塞ぐ箱形の塞ぎ部を前記絶縁板に設け、前記プルスイッチに対向する前記塞ぎ部の側面に前記引き輪を挿通する引き輪用穴を設け、前記塞ぎ部の上面から前記引き輪用穴にかけてスイッチ取付時に前記引き輪を挿通するためのスリットを前記引き輪用穴に連続して形成したものである。
【０００８】
請求項１記載の照明器具によれば、ランプソケット、リモコン受信器、スイッチ等の部品あるいはすべての点灯部品を絶縁板上に取付けさらに配線まで行うことができるため、あらかじめ絶縁板に部品を取付けたものを器具本体に組み込むという組み立て方法が可能となり、組み立て方法の簡略化および組み立てスペースを小さく削減することができ、また製品検査機や搬送設備等を小さくすることができ、設備投資に要する費用や納期を削減できる。また配線を要する部品の取付けを絶縁板上にて行っているため、部品交換の際に絶縁板ごとに交換することが可能となり、部品交換時にリード線を外すといった手間を省き、交換後の配線間違い等のおそれをなくすことも可能となる。
【００１２】
また絶縁板に塞ぎ部を設けて引き輪用穴およびスリットを形成しているため、構成が簡単になる。
【００２３】
【発明の実施の形態】
この発明の第１の実施の形態を図１および図２により説明する。すなわち、この照明器具は、器具本体１と、絶縁板２と、点灯部品３を有する。
【００２４】
器具本体１は実施の形態において天井直付け用であり、円板形をなし周壁４を立設し、内部に同心のリング状段部５を形成し、段部５の内側に、スイッチ７の引き輪８の先端に引っかけた引き紐９を器具本体１の外部に通す穴６を設けている。
【００２５】
絶縁板２は樹脂製であり、器具本体１の上面の段部５の内側にねじ等により着脱可能に取付けられるもので、円板形をなし中心に穴１０を形成している。また絶縁板２に引き輪８を挿通する引き輪用穴１１を形成し、かつスイッチ取付時に引き輪８を挿通するためのスリット１２を引き輪用穴１１に連続して形成している。実施の形態では穴６を塞ぐように穴６に対して箱形の塞ぎ部１３を凹設し、塞ぎ部１３のスイッチ７の対向面に引き輪用穴１１を形成し、その対向面と隣接面にまたがるスリット１２を形成している。
【００２６】
点灯部品３は、その各取付部を絶縁板２に取付けかつ電気配線されている。実施の形態では点灯部品が点灯回路１４、ランプソケット１５、リモコン受信器１６およびプルスイッチなどのスイッチ７であり、すべての点灯部品がねじや溶着等により取付られて一体化されかつ配線される。１７は絶縁板２に設けられたリモコン受信器取付部、１８はソケット取付部である。器具本体１の下面側に取付ける本体カバー（図示せず）、ランプ（図示せず）およびグローブ（図示せず）等は従来例と同様である。
【００２７】
この照明器具の組み立て方法は、絶縁板２に点灯部品３を取付けるとともに電気配線し、絶縁板２を器具本体１に着脱可能に取付ける。
【００２８】
第１の実施の形態によれば、点灯状態の切り換えをリモコンおよび引き紐操作により行うことができる。ランプソケット１５、リモコン受信器１６、スイッチ７等の部品あるいはすべての点灯部品を絶縁板２上に取付けさらに配線まで行うことができるため、あらかじめ絶縁板２に部品を取付けたものを器具本体１に組み込むという組み立て方法が可能となり、組み立て方法の簡略化および組み立てスペースを小さく削減することができ、また製品検査機や搬送設備等を小さくすることができ、設備投資に要する費用や納期を削減できる。また配線を要する部品の取付けを絶縁板２上にて行っているため、部品交換の際に絶縁板２ごとに交換することが可能となり、部品交換時にリード線を外すといった手間を省き、交換後の配線間違い等のおそれをなくすことも可能となる。
【００２９】
この発明の第２の実施の形態を図３に示す。すなわち、この照明器具は、器具本体１と、この器具本体１に着脱可能に取付けられた本体カバー１９と、この本体カバー１９に取付けられかつ電気配線された点灯部品３を備える。点灯部品３は本体カバー１９とブロック構成してもよい。
【００３０】
本体カバー１９自体は金属製でもプラスチック製でもよい。点灯部品３は点灯回路１４、ランプソケット１５、およびリモコン受信器１６であるが、プルスイッチ等のスイッチ（図示せず）を含めてもよい。
【００３１】
また照明器具の組み立て方法は、本体カバー１９に点灯部品３を取付けかつ点灯部品３間に電気配線し、本体カバー１９を器具本体１に着脱可能に取付けるものである。
【００３２】
第２の実施の形態によれば、第１の実施の形態と同様の効果が得られる。
【００３３】
【発明の効果】
請求項１記載の照明器具によれば、ランプソケット、リモコン受信器、スイッチ等の部品あるいはすべての点灯部品を絶縁板上に取付けさらに配線まで行うことができるため、あらかじめ絶縁板に部品を取付けたものを器具本体に組み込むという組み立て方法が可能となり、組み立て方法の簡略化および組み立てスペースを小さく削減することができ、また製品検査機や搬送設備等を小さくすることができ、設備投資に要する費用や納期を削減できる。また配線を要する部品の取付けを絶縁板上にて行っているため、部品交換の際に絶縁板ごとに交換することが可能となり、部品交換時にリード線を外すといった手間を省き、交換後の配線間違い等のおそれをなくすことも可能となる。
【００３５】
また絶縁板に塞ぎ部を設けて引き輪用穴およびスリットを形成しているため、構成が簡単になる。
【図面の簡単な説明】
【図１】この発明の第１の実施の形態の要部分解斜視図である。
【図２】その部分拡大図である。
【図３】第２の実施の形態の要部分解斜視図である。
【図４】従来例の分解斜視図である。
【図５】（ａ）は器具本体の斜め上側からみた斜視図、（ｂ）はその部分断面図である。
【図６】器具本体に取付けられた点灯部品を示す底面図である。
【符号の説明】
１    器具本体
２    絶縁板
３    点灯部品
７    スイッチ
８    引き輪
９    引き紐
１１    引き輪用穴
１２    スリット
１３    塞ぎ部
１４    点灯回路
１５    ランプソケット
１６    リモコン受信器
１９    本体カバー
【図１】
0004038974.tif 000002
【図２】
0004038974.tif 000003
【図３】
0004038974.tif 000004
【図４】
0004038974.tif 000005
【図５】
0004038974.tif 000006
【図６】
0004038974.tif 000007